(57)【要約】      （修正有）【課題】枝番を必要とするサービス選択が簡単なリモコン操作で得られるようにしたチャンネル選択装置を提供すること。【解決手段】放送データ受信部１と受信データ分別部２、選局制御部３、枝番チャンネルデータ保存部４、それにＡＶデコーダ６を備え、ＡＶデコーダ６でＭＰＥＧトランスポートストリームをデコードして映像／音声／データ放送番組を表示装置８に供給して画像を映出させるようにした受信機において、リモコンＲで３桁のサービス番号が入力されたとき、３桁目のキーが押し下げられている時間を判定し、３桁のサービス番号が枝番の入力を必要とするサービスであり、３桁目のキーが押し下げられている時間が所定時間以上になったとき、前記枝番を順送りして表示装置８に表示させ、当該表示された枝番に対応したサービスを順次、チャンネルアップして受信して行くようにしたもの。【選択図】  図１
2005005775.tif 000002
【特許請求の範囲】
【請求項１】
枝番を備えた３桁のサービス番号に対応してリモコン操作されるディジタル放送受信機のチャンネル選択装置において、
３桁のサービス番号が入力されたとき、当該サービス番号が枝番の入力を必要とするサービスか否かを判断する手段と、
前記３桁のサービス番号が入力されたとき、３桁目のキーが押し下げられている時間を判定する手段とを設け、
前記３桁のサービス番号が枝番の入力を必要とするサービスであり、前記３桁目のキーが押し下げられている時間が所定時間以上になったとき、
前記枝番を順送りして表示させ、当該表示された枝番に対応したサービスを順次、チャンネルアップして行くように構成したことを特徴とする地上波ディジタル放送受信機のチャネル選択装置。
【請求項２】
請求項１に記載のチャンネル選択装置において、
受信動作を停止したとき、最後に選択されていた枝番を必要とするサービス番号と、当該枝番番号をメモリに保存しておく手段を設け、
受信動作を開始したとき、前記メモリに保存してあったサービス番号と前記枝番を起点として順次チャンネルアップされて行くように構成されていることを特徴とするチャンネル選択装置。
【請求項３】
請求項１に記載のチャンネル選択装置において、
前記チャンネルアップして行く画像を表示装置の画面上に分割して表示する手段が設けられていることを特徴とするチャンネル選択装置。
【発明の詳細な説明】
【０００１】
【発明の属する技術分野】
本発明は、ディジタル放送受信機のリモコン選局操作装置に係り、特に地上波ディジタル放送受信機に好適なチャネル選択装置に関する。
【０００２】
【従来の技術】
近年、アナログ放送からディジタル放送への移行が現実のものとなるにつれ、地上波ディジタル放送信号をチューナで選局し、選択されたＭＰＥＧフォーマットのトランスポートストリームをデコードして、映像／音声信号を得る方式のディジタル放送受信機が種々提案されている。
【０００３】
このとき、アナログ放送からディジタル放送に移行することで、１００サービス以上の多サービスが実現可能になり、サービスの選局データであるサービス番号は必然的に３桁以上になってしまう。
【０００４】
ここで、図３は、このようなディジタル放送受信機において、一般的に使用されているリモコン（リモコン送信機）Ｒの一例で、この場合、電源キーＲ１を押す毎に受信機の電源が交互にオン（ＯＮ）とオフ（ＯＦＦ）に操作され、電源をオンした後、選局（ｃｈ選択）などの操作を行なうようになっている。
【０００５】
そして、このリモコンＲにより、３桁の所望のサービス番号（チャンネル番号）を選択する方法には、現在のところ、一般的には以下の３種の方法が用いられている。
【０００６】
▲１▼  ３桁入力キーＲ２を入力し、出力画面上の３桁入力ボックス内で「０」〜「９」の数字キーＲ３を使用し、３桁のサービス番号を直接入力して選局する方法。
【０００７】
▲２▼  「０」〜「９」の数字キーＲ３により、プリセットされた３桁のサービス番号を直接指定して選局する方法。
【０００８】
▲３▼  チャンネルアップキーＲ４又はチャンネルダウンキーＲ５により、主として現在選局されているサービスを開始点として、受信が可能なサービスを順番にチャンネルアップ、チャンネルダウンして選局する方法。
【０００９】
そこで、リモコンＲを用いたディジタル放送受信機において、通常のディジタル放送のサービス選局を３桁入力によって行ったとき、つまり上記▲１▼の方法で行ったときの動作について、図４により説明する。
【００１０】
この図４は、受信機（ディジタル放送受信機）の状態と表示装置、それにリモコン操作の関係を流れ図として示したもので、当初、受信機は１００ｃｈを選択しているものとする（Ｓ４０）。そうすると、このとき表示装置には１００ｃｈとＯＳＤ（オンスクリーンディスプレイ）表示されている（Ｓ４１）。
【００１１】
ここで、いま、ユーザにより、３桁入力キーＲ２が押されたとする（Ｓ４２）。そうすると、表示装置には「  ｃｈ」とＯＳＤ表示され（Ｓ４３）、カーソルにより新たな３桁の数字の入力操作が促される。
【００１２】
このとき、ユーザが１３０ｃｈの選局を望んでいて、リモコンＲのテンキーＲ３の各数字キーにより、４４で示すように、数字「１」、「３」、「０」を入力したとすると、入力された数字キーが受信機側に伝送される。
【００１３】
そして、この結果、表示装置にはチャンネル名「１３０ｃｈ」とＯＳＤ表示され（Ｓ４５）、受信機は１３０ｃｈのプログラムの受信状態になり（Ｓ４６）、表示装置に映像が映出されるようになる。
【００１４】
ところで、地上波ディジタル放送システムでは、特定のサービスエリアを設定し、３桁の同じサービス番号のもとで、更にサービス内容が異なる複数のプログラムが受信ができるようにする場合がある。
【００１５】
このとき、上記▲１▼の選局方法を用いた場合には、それぞれのプログラムを区別するため、３桁の同じサービス番号の後で更に１桁の数字を枝番として入力する必要があり（ＡＲＩＢ  ＴＲ−Ｂ１４  第二編）、この場合は４桁の番号を入力しなければならない。
【００１６】
ここで、このような４桁の番号を入力する場合、まず、３桁の番号が順次、入力された後、枝番を必要とする選局か否かを受信機側で判断し、必要に応じて最後の桁の数字の入力を促すようにする。
【００１７】
一方、枝番の入力を行わずに選局する方法も考えられ、この場合は、別途、ダイレクトに選局できるようにしたキーを設け、これに予めサービス番号と枝番を登録しておく方法がある。
【００１８】
また、これらとは別に、ユーザがサービスチャンネルの３桁の番号を入力した際、このチャンネル番号で選択可能な枝番のリストを画面に表示させ、カーソルキーＲ６（図３）を使用してユーザに選択させる方法が提案されている（例えば、特許文献１、特許文献２参照。）。
【００１９】
更に、ユーザがサービス番号を途中まで入力した際、チャンネルアップキーＲ４とチャンネルダウンキーＲ５を用い、サービスチャンネル番号のアップ、ダウンを行う方法も提案されている（例えば、特許文献３参照。）。
【００２０】
【特許文献１】
特開２００１−１６５１６号公報
【００２１】
【特許文献２】
特開平１１−１７７３８７号公報
【００２２】
【特許文献３】
特開２００２−３３９６９号公報
【００２３】
【発明が解決しようとする課題】
上記従来技術は、サービス番号の桁数の増加に伴いリモコンの操作が煩雑になってしまう点に配慮がされておらず、ユーザの負担が増してしまうという問題があった。
【００２４】
上記したように、アナログ放送からディジタル放送に移行すると、１００サービス以上の多サービスが実現できるが、このためにはサービス番号が３桁以上になり、枝番を必要とするサービスの場合は、前述のように４桁になる。
【００２５】
このとき、図３に示したテンキー群Ｒ３の各数字キーを用いて、４桁のサービス番号を順次、入力する方法の場合は、所望のサービスが枝番を必要とするか否かと、４桁の番号を覚えておく必要があり、受信可能なサービスが増加するにつれ、正確に記憶しなくてはならない番号も多くなって行くので、ユーザに大きな負担がかかってしまうのである。
【００２６】
一方、枝番の入力を行わず、４桁の番号がダイレクトに入力できるキーに予めサービス番号と枝番を登録しておく方法の場合、キーの数により選択可能なサービスが限られてしまうので、多サービス化には対応が困難である。
【００２７】
また、ユーザがサービスの３桁番号を入力した際、選択可能な枝番のリストを画面上に表示させ、カーソルキーＲ６を使用してユーザに選択させる方法の場合は、ユーザが表示されたリストを読んで判断し、更に選択しなければならないので操作が煩雑になってしまう。
【００２８】
ここで、ユーザがサービス番号を途中まで入力した際、チャンネルアップキーＲ４とチャンネルダウンキーＲ５を用い、サービスチャンネル番号のアップ、ダウンを行う方法の場合、枝番の選局に際して枝番の入力が必要なことをユーザが認識し、それによりチャンネルアップキーＲ４とチャンネルダウンキーＲ５を変更しなければならないので、やはり操作が煩雑になってしまう。
【００２９】
本発明の目的は、枝番を必要とするサービス選択が簡単なリモコン操作で得られるようにしたチャンネル選択装置を提供することにある。
【００３０】
【課題を解決する手段】
上記目的は、枝番を備えた３桁のサービス番号に対応してリモコン操作されるディジタル放送受信機のチャンネル選択装置において、３桁のサービス番号が入力されたとき、当該サービス番号が枝番の入力を必要とするサービスか否かを判断する手段と、前記３桁のサービス番号が入力されたとき、３桁目のキーが押し下げられている時間を判定する手段とを設け、前記３桁のサービス番号が枝番の入力を必要とするサービスであり、前記３桁目のキーが押し下げられている時間が所定時間以上になったとき、前記枝番を順送りして表示させ、当該表示された枝番に対応したサービスを順次、チャンネルアップして行くようにして達成される。
【００３１】
ここで、受信動作を停止したとき、最後に選択されていた枝番を必要とするサービス番号と、当該枝番番号をメモリに保存しておく手段を設け、受信動作を開始したとき、前記メモリに保存してあったサービス番号と前記枝番を起点として順次チャンネルアップされて行くようにしても、上記目的を達成することができる。
【００３２】
更に、ここで、前記チャンネルアップして行く画像を表示装置の画面上に分割して表示する手段が設けられることによっても、上記目的を達成することができる。
【００３３】
【発明の実施の形態】
以下、本発明によるチャネル選択装置について、図示の実施の形態により詳細に説明する。
【００３４】
図１は、本発明をリモコン操作方式による地上波ディジタル放送受信機に適用した場合の一実施形態で、図において、放送データ受信部１は、地上波ディジタル放送信号とサービス情報データを受信し、それを受信データ分別部２に供給する。
【００３５】
そして、受信データ分別部２は、入力された地上波ディジタル放送信号とサービス情報データを分析し、選局制御部３に供給する。このとき、受信データ分別部２には、枝番チャンネルデータ保存部４と外部メモリ５が備えられていて、枝番を必要とするサービス番号と、その枝番については枝番チャンネルデータ保存部４に保存し、それ以外のデータについては外部メモリ５に保存しておき、それぞれ必要になったとき随時読み出せるように構成してある。
【００３６】
ここで選局制御部３は、選局動作を制御する制御部として働き、地上波ディジタル放送信号をチューナ選局し、選択されたＭＰＥＧトランスポートストリームをＡＶデコーダ６とＯＳＤ表示部７に供給すると共に、このときトランスポートストリームから取得したサービス情報を所定のメモリに保存しておく。
【００３７】
ＡＶデコーダ６は、ＭＰＥＧトランスポートストリームをデコードして映像／音声／データ放送番組を得る働きをし、ＯＳＤ表示部７は、映像出力信号にサービス番号等の選局データを付加して出力する働きをする。
【００３８】
そこで、これらＡＶデコーダ６とＯＳＤ表示部７の出力がテレビジョン受像機の表示装置８に供給されることにより、画像が映出されることになる。
【００３９】
一方、このときのユーザによるリモコン操作には、図３で説明したリモコンＲが使用され、このリモコンＲから赤外線により伝送されたデータがリモコン受光部９で受信され、受信したデータがリモコン信号判別部１０に渡されるようになっている。
【００４０】
そして、このリモコンＲから選局が指示された場合、リモコン信号判別部１０は、その受信データを枝番検索部１１と入力桁数・押し下げ判別部１２に供給するようになっている。
【００４１】
次に、この実施形態によるリモコン操作と選局動作について、図２により説明する。ここで、この図２は、受信機（ディジタル放送受信機）の状態と表示装置、それにリモコン操作の関係を流れ図として示したもので、当初、受信機が１００ｃｈを選択しているものとすると（Ｓ２０）、選局制御部３は、ＯＳＤ表示部７を介して、表示装置８に１００ｃｈがＯＳＤ表示させている（Ｓ２１）。
【００４２】
そして、いま、ここでユーザは、地上波ディジタル放送の１３０ｃｈを３桁入力により選局するものとすると、この場合、ユーザは、最初にリモコンＲの３桁入力キーＲ２（図３）を押し、次に、数字キーＲ３で、続いて「１」と「３」を入力する（Ｓ２２）。
【００４３】
そうすると、表示装置８には「１３   ｃｈ」とＯＳＤ表示され、カーソルにより最後の１桁の数字の入力操作が促される（Ｓ２３）。そこで、ユーザは、数字キーＲ３で「０」を入力し、このままキーを押下したままにする（Ｓ２４）。
【００４４】
そうすると、入力桁数・押し下げ判別部１２は、リモコン信号判別部１０の判別結果から、ここで数字キーが３桁分、押されたことを検知し、そのことを枝番検索部１１に知らせる。
【００４５】
そこで、枝番検索部１１は、このとき入力された３桁の番号をリモコン信号判別部１０から取り込み、枝番チャンネルデータ保存部４から与えられているデータと突合せ、このとき入力された３桁の番号が枝番を必要とするサービスか否かを判別する（Ｓ２５）。
【００４６】
そして、枝番の入力を必要とするサービスであったときは、ＯＳＤ表示部７により、もう１桁の入力を促す表示を行なわせる（Ｓ２６）。そして、このとき、ユーザが依然として数字キー「０」を押下したままにしていたとすると（Ｓ２７）、このことが入力桁数・押し下げ判別部１２により認識される。
【００４７】
そして、この後、入力桁数・押し下げ判別部１２は、予め設定してある一定時間の経過を判別し、一定時間が経過するたびに順次、枝番を選局可能な枝番毎に順送りし、このとき、選局制御部３は、当該枝番に対応したサービスを候補としてチャネルアップし、各サービスによる画像が表示装置８に映出されて行くようにする（Ｓ２８）。
【００４８】
このとき、ＯＳＤ表示部７により新たな枝番が「０」から順次、ＯＳＤ表示されて行くようにする（Ｓ２９）。そこで、ユーザは、表示装置８を見て希望する選局の表示が得られるのを待つ。
【００４９】
そして、ユーザは、希望する選局の表示が現われたとき、例えば「１３０ｃｈ−１」がＯＳＤ表示されたとき、数字キー「０」から指を離してやると、この時点で、入力桁数・押し下げ判別部１２は枝番の順送りを停止させ、選局制御部３は、当該枝番に対応したチャンネルを選局したところでチャネルアップを停止させる。
【００５０】
この結果、表示装置８には、所望の枝番を伴ったチャンネル番号、例えば「１３０ｃｈ−１」がＯＳＤ表示された状態になり（Ｓ３０）、受信機はＯＳＤ表示された１３０ｃｈ−１チャンネルを受信している状態になる（Ｓ３１）。
【００５１】
そうすると、この実施形態では、選択した３桁の番号によるサービスが更に４桁目を必要とするサービスであるか否かが、３桁目の数字を入力した時点で直ちにＯＳＤ表示される。
【００５２】
そこで、この実施形態によれば、これから選択すべき３桁の番号によるサービスについて、それが特に４桁目を必要とするサービスであるか否かを予め意識しておく必要が無く、直ちに選局操作に入ることができる。
【００５３】
しかも、ここで４桁目を必要とするサービスであったときでも、特別な操作は不要で、そのまま３桁目を入力したキーを押し続けてやるだけで枝番の表示が次々と順送りされ、その都度、当該枝番に対応したプログラムの画像が順番に表示される。
【００５４】
そこで、この実施形態によれば、特に枝番の番号や、枝番を必要とするサービスが幾つあるかなどを意識せずに、直ちに選局操作に入り、必要なサービスを選択することができる。
【００５５】
従って、この実施形態によれば、サービス番号の桁数が増加しても、リストを見たりする必要が無く、所望のチャンネル番号が簡単に入力できるので、ユーザの負担を大幅に低減させることができる。
【００５６】
なお、上記実施形態では、枝番を伴ったチャンネル番号が「１３０ｃｈ」で、３桁目の数字が「０」の場合について説明したが、これに限らないことは言うまでもない。
【００５７】
また、順送りされる枝番についても、０から９までの１０桁の場合について説明したが、これも、１０桁に限らず、当該チャンネルがゆうする枝番に応じて、例えば枝番が０から５までの少ない桁数であったときは、この範囲で順送りされるようにしてやればよい。
【００５８】
ここで、本発明の他の実施形態について説明すると、まず上記実施形態における枝番チャンネルデータ保存部４に不揮発性メモリを用い、これに、受信動作を終了する際、最後に選択されていた枝番を必要とするサービスの３桁番号と、その枝番番号を記憶しておくようにした第２の実施形態がある。
【００５９】
そして、この第２の実施形態では、次に受信動作を開始させる際、枝番チャンネルデータ保存部４の不揮発性メモリに保存しておいたサービスから順次チャンネルアップしていくように構成してある。
【００６０】
従って、この第２の実施形態によれば、受信動作を開始させたときは、そのままで常に前回に受信したチャンネルが選択されるようにでき、ユーザによるニーズの多様化に応えることができる。
【００６１】
また、枝番を必要とするサービスを順次選局したとき、表示装置８の画面に各サービス毎に分割画面として表示していくようにＯＳＤ表示部７を構成し、これを第３の実施形態とすることもできる。
【００６２】
従って、この第３の実施形態によれば、枝番によるサービスで得ることができるプログラムが同時に画面上に見られるので、やはりユーザによるニーズの多様化に応えることができる。
【００６３】
【発明の効果】
本発明によれば、枝番を必要とする選局においてもリスト表示やキーの押し直しが不要になり、枝番を必要とするサービスでも簡単に選局することができ、ユーザの負担を少なくすることができる。
【図面の簡単な説明】
【図１】本発明によるチャンネル選択装置を地上波ディジタル放送受信機に適用した場合の一実施形態を示す機能ブロック図である。
【図２】本発明の一実施形態の動作を説明するための流れ図である。
【図３】一般的なリモコン送信機の一例を示す外観図である。
【図４】従来技術による３桁入力動作の一例を説明するための流れ図である。
【符号の説明】
１  地上波ディジタル放送データ受信部
２  受信データ分別部
３  選局制御部
４  枝番チャンネルデータ保存部
５  外部メモリ
６  ＡＶデコーダ
７  ＯＳＤ（オンスクリーンディスプレイ）表示部
８  表示装置
９  リモコンの受光部
１０  リモコン信号判別部
１１  枝番検索部
１２  入力桁数・押し下げ判別部
Ｒ  リモコン（リモコン送信部）
【図１】
2005005775.tif 000003
【図２】
2005005775.tif 000004
【図３】
2005005775.tif 000005
【図４】
2005005775.tif 000006